(57)【要約】【課題】メスコネクタとオスコネクタ、固定具の各螺合の緩み防止効果を向上させることができるとともに、破断屑等の発生がなく、容易かつ安価に製造することができる医療用メスコネクタ及び医療用コネクタを提供すること。【解決手段】反発弾性を有しかつ硬質ないし半硬質材料よりなる筒状部材（４）の内周壁にルアーテーパ５を形成し、当該筒状部材（４）の前方外周壁に螺合部（６）を形成し、前記筒状部材（４）の略中腹部から前方部に亘って、リブ（９）を突設し、当該リブ（９）は前記筒状部材（４）と同材質で、前記筒状部材（４）に一体成形されている医療用メスコネクタ（２）。【選択図】図１
0003116021.tif 000002
【実用新案登録請求の範囲】
【請求項１】
反発弾性を有しかつ硬質ないし半硬質材料よりなる筒状部材（４）の内周壁にルアーテーパ５を形成し、当該筒状部材（４）の前方外周壁に螺合部（６）を形成し、
前記筒状部材（４）の略中腹部から前方部に亘って、リブ（９）を突設し、当該リブ（９）は前記筒状部材（４）と同材質で、前記筒状部材（４）に一体成形されていることを特徴とする医療用メスコネクタ（２）。
【請求項２】
筒状部材（４）の略中腹部の外周壁に、翼（７）を突設し、当該翼（７）の前方から前記螺合部（６）に亘って、請求項１に記載のリブ（９）を突設したことを特徴とする請求項１記載の医療用メスコネクタ（２）。
【請求項３】
前記請求項１、２記載のメスコネクタ（２）と、オスコネクタ（３）を具備し、
前記オスコネクタ（３）は、外周面がテーパ状の内筒部（１０）を有し、当該内筒部（１０）の外周に外筒部（１１）を形成し、当該外筒部（１１）の内周面に、前記メスコネクタ（２）の螺合部（６）と対応する螺合部（１２）を形成し、
メスコネクタ（２）の螺合部（６）とオスコネクタ（３）の螺合部（１２）が螺合した際に、
前記リブ（９）が、オスコネクタ（３）の螺合部（１２）の螺合突部（１２Ａ）に接触し、メスコネクタ（２）とオスコネクタ（３）の螺合が緩まないように形成したことを特徴とする医療用コネクタ（１）。
【請求項４】
前記請求項１、２記載のメスコネクタ（２）と、オスコネクタ（３３）と、固定具（４０）を具備し、
オスコネクタ（３３）は、前方部にテーパ状突起部（３４）、中間部に係止部（３５）が形成され、
固定具（４０）は、筒状部材（４４）の内周壁に螺合部（４２）が形成され、
メスコネクタ（２）の内周壁にオスコネクタ（３３）のテーパ状突起部（３４）を挿入して接合し、固定具（４０）の螺合部（４２）とメスコネクタ（２）の螺合部（６）を螺合した際に、
前記リブ（９）が、固定具（４０）の螺合部（４２）の螺合突部（４２Ａ）に接触し、メスコネクタ（２）と固定具（４０）の螺合が緩まないように形成したことを特徴とする医療用コネクタ（３１）。
【考案の詳細な説明】
【技術分野】
【０００１】
本考案は、血液回路の各種分岐チューブや、輸血用チューブ、各種カテーテルチューブ、その他医療用流体誘導チューブの端部に設けられているコネクタに関するものである。
【背景技術】
【０００２】
血液回路の各種分岐チューブなどに設けられているコネクタの接続には、オスコネクタとメスコネクタの係止が用いられることが多い。その中でも、両コネクタの螺合により液密性や気密性を確保し、確実かつ安全な手段として図７に示すようなコネクタ５１が用いられていた。
コネクタ５１は、筒状部材５４の内周面にルアーテーパ５５を形成し外周壁に螺合部５６を形成したメスコネクタ５２と、外周面がテーパ状の内筒部６０からなり、これを取り囲んで内周面にメスコネクタ５２の螺合部５６と螺合する螺合部６２が形成された外筒部６１を有する二重管形状のオスコネクタ６３とからなるものであり、両コネクタの螺合部５６、６２ネジとルアーテーパ５５を嵌合させることで、液密性や気密性を確保している。これらのメスコネクタ５２およびオスコネクタ５３の詳細な形状や寸法はＩＳＯ５９４−１、−２の国際規格（規定のネジ）を参考にしている。
【０００３】
しかし、前述のように規格のネジを用いると、図８に示したように、メスコネクタ６２の筒状部材５４の外周壁とオスコネクタ５３の外筒部下端６２Ａに隙間ができ、回転軸方向の力がかかった場合、両コネクタ間に緩みが生じ、結合強度が簡単に弱まるという欠点を持つ。
【０００４】
このような両コネクタの緩みを解消するため、特許文献１には、メスコネクタのねじ溝に、回転リング（固定具）のねじ山より柔軟なリブを設けるコネクタが開示されている。
リブは、めす接合部の固定ねじ部と回転リングの回転ねじ部との螺合時にねじ谷部分に螺合し、該ねじ谷部分に沿って進む回転ねじ部のねじ山部分の先頭部によって一部破断されて押し開かれ、押し開かれたリブはねじ山部分の先頭部に続く中間部の山表面に隙間なく圧接するというものである。
【０００５】
また、特許文献２には、メスコネクタの螺合部の下側に弾性体を装着するコネクタが開示されている。当該コネクタは、ネジを回しながらオスコネクタとメスコネクタを結合させ、弾性体とオスコネクタ外筒部下端が接触していくほど弾性体が圧縮され、オスコネクタ外筒部と弾性体にかかる圧力が高くなる。その圧力は弾性体からメスコネクタに伝わり、結果的にオスコネクタ外筒部内周面とメスコネクタの間に弾性体から圧力が伝わる。これによりネジの螺合に緩みがなくなり、オスコネクタ外筒部下端と弾性体が密着することで、回転方向の力にも対抗することができる。
【０００６】
その他、特許文献３では両コネクタ一方のねじ部、ねじ山の始端部付近傍に弾性を有し、他方のねじ部のねじ山を乗り上げて固定する係止部を設けたコネクタが開示される。
すなわち、可動式ロックリングのそれぞれのリング側第１、第２螺線のねじ山の端部と、ルアーロックハブの第１、第２の係止部の係止面のそれぞれとが接触状態になって停止する。このとき、可動式ロックリング側のリング側第１、第２螺線と、ルアーロックハブ側の第１、第２の係止部は、樹脂などの弾性物質で構成されているため、押圧状態になり、しっかりと固定されるというものである。
【０００７】
しかしながら、特許文献１では、リブは、回転リング（固定具）のねじ山と異なる材料で、しかも当該ねじ山より柔軟な材料により形成され、回転ねじ部のねじ山部分の先頭部によって一部破断されて押し開かれるため、破断屑等が発生する懸念がある。またリブはメスコネクタのねじ溝の一部のみに形成され、ねじ山の一部としか接触しないため、緩み防止効果も十分とはいいがたい。さらに成形に手間がかかる上、コスト高になる懸念がある。また特許文献２、３も、ともに弾性体を装着するのに手間がかかる上、装着した弾性体が外れ落ちる可能性も考えられ、また弾性体に別途コストがかかる。
【特許文献１】実公平２−１９３号公報（図３、４参照）
【特許文献２】特開２００５−１１０８４２号公報（図１、４参照）
【特許文献３】特開２００５−４６６号公報（図７参照）
【考案の開示】
【考案が解決しようとする課題】
【０００８】
本考案が解決しようとする問題点は、緩み防構造の従来のコネクタは、破断屑等が発生する懸念がある。またリブはメスコネクタのねじ溝の一部のみに形成され、ねじ山の一部としか接触しないため、緩み防止効果も十分とはいいがたい。成形に高度な技術を要したり、係止のための弾性体に別部材を用いたりすることでコスト高になることである。
したがって、オスコネクタとメスコネクタの螺合結合において、両コネクタに規格のネジを用いても緩むことがなく、さらにコネクタと同部材の一体成形により容易かつ安価な医療用コネクタを提供する点である。
【課題を解決するための手段】
【０００９】
そこで本考案者は、以上の課題を解決するために鋭意検討を重ねた結果、以下の考案に到達した。
［１］本考案は、反発弾性を有しかつ硬質ないし半硬質材料よりなる筒状部材（４）の内周壁にルアーテーパ５を形成し、当該筒状部材（４）の前方外周壁に螺合部（６）を形成し、
前記筒状部材（４）の略中腹部から前方部に亘って、リブ（９）を突設し、当該リブ（９）は前記筒状部材（４）と同材質で、前記筒状部材（４）に一体成形されている医療用メスコネクタ（２）を提供する。
［２］本考案は、筒状部材（４）の略中腹部の外周壁に、翼（７）を突設し、当該翼（７）の前方から前記螺合部（６）に亘って、［１］に記載のリブ（９）を突設した［１］記載の医療用メスコネクタ（２）を提供する。
［３］本考案は、前記［１］、［２］記載のメスコネクタ（２）と、オスコネクタ（３）を具備し、
前記オスコネクタ（３）は、外周面がテーパ状の内筒部（１０）を有し、当該内筒部（１０）の外周に外筒部（１１）を形成し、当該外筒部（１１）の内周面に、前記メスコネクタ（２）の螺合部（６）と対応する螺合部（１２）を形成し、
メスコネクタ（２）の螺合部（６）とオスコネクタ（３）の螺合部（１２）が螺合した際に、
前記リブ（９）が、オスコネクタ（３）の螺合部（１２）の螺合突部（１２Ａ）に接触し、メスコネクタ（２）とオスコネクタ（３）の螺合が緩まないように形成した医療用コネクタ（１）を提供する。
［４］本考案は、前記［１］、［２］記載のメスコネクタ（２）と、オスコネクタ（３３）と、固定具（４０）を具備し、
オスコネクタ（３３）は、前方部にテーパ状突起部（３４）、中間部に係止部（３５）が形成され、
固定具（４０）は、筒状部材（４４）の内周壁に螺合部（４２）が形成され、
メスコネクタ（２）の内周壁にオスコネクタ（３３）のテーパ状突起部（３４）を挿入して接合し、固定具（４０）の螺合部（４２）とメスコネクタ（２）の螺合部（６）を螺合した際に、
前記リブ（９）が、固定具（４０）の螺合部（４２）の螺合突部（４２Ａ）に接触し、メスコネクタ（２）と固定具（４０）の螺合が緩まないように形成した医療用コネクタ（３１）を提供する。
【考案の効果】
【００１０】
本考案のメスコネクタ２とメスコネクタ２を含むコネクタ１、３１は、（１）メスコネクタ２は、筒状部材４の略中腹部から前方外周壁に亘って、リブ９を突設し、当該リブ９は前記筒状部材４と同材質で、前記筒状部材４に一体成形されているので、リブ９とオスコネクタ１２、固定具４０の螺合部１２、４２の接触面積を大きくとることができる（規格のネジにできていた隙間を埋めることができる）ので、メスコネクタ２とオスコネクタ１２、固定具４０の各螺合部６、１２、４２の緩み防止効果を向上させることができる。（２）リブ９は筒状部材４と同材料で一体成形されているため、破断屑等の発生がなく、容易かつ安価に製造することができる、などの効果が得られる。
【考案を実施するための最良の形態】
【００１１】
図１は、本考案を実施するための最良の形態を示す医療用コネクタ１の断面図である。図２は図１のメスコネクタとオスコネクタを接続した状態の断面図で、図３は図２の一部拡大図である。
【００１２】
［メスコネクタ２］
反発弾性を有しかつ硬質ないし半硬質材料よりなる筒状部材４の内周壁にルアーテーパ５を形成し、当該筒状部材４の前方外周壁に螺合部６を形成している。
前記筒状部材４の略中腹部から前方部に亘って、リブ９を突設し、当該リブ９は前記筒状部材４と同材質で、前記筒状部材４に一体成形されている。
筒状部材４の略中腹部の外周壁に、翼７を突設し、当該翼７の前方から前記螺合部６に亘って、リブ９を突設している。
図４は本考案のメスコネクタ２の翼７とリブ９の拡大図である。
図１から図４の例示では、リブ９は、翼７の前方部から螺合部６に亘って延設され、リブ９前方部（螺合部６付近のリブ９）は、下方向に向けて傾斜するように形成されている。
リブ９前方部（螺合部６付近のリブ９）を、このように形成したのは、螺合部６がオスコネクタ３の螺合部１２と接触するため、他の箇所（螺合部６がない箇所）と同じ大きさに形成すると、螺合部６と
螺合部１２が螺合しにくくなるからである。
リブ９の幅９Ａは１〜２ｍｍ程度で、高さ９Ｂはメスコネクタ２の筒状部材４の外周壁とオスコネクタ３の螺合突部１２Ａにできる隙間に入る範囲の高さであれば良い。
なお図１、図２の例示では、筒状部材４の後方部に、チューブ掛止部８を形成しているが、筒状部材４の内側にチューブを装着しても良い（この場合は、チューブ掛止部８は不要である）。
翼７は、図１の例示では、筒状部材４の上下に二箇所形成されているが、筒状部材４の外周壁に複数箇所形成するのがよく、二から四箇所に、形成するのが望ましい。
［医療用コネクタ１］
本考案の医療用コネクタ１は前記メスコネクタ２と、オスコネクタ３を具備し、メスコネクタ２の螺合部６とオスコネクタ３の螺合部１２が螺合した際に、前記リブ９が、オスコネクタ３の螺合部１２の螺合突部１２Ａに接触し、メスコネクタ２とオスコネクタ３の螺合が緩まないように形成されている。
［オスコネクタ３］
オスコネクタ３は、外周面がテーパ状の内筒部１０を有し、当該内筒部１０の外周に外筒部１１を形成し、当該外筒部１１の内周面に、前記メスコネクタ２の螺合部６と対応する螺合部１２を形成している。オスコネクタ３は、内筒部１０を取り囲むように、外筒部１１を形成して、二重管形状で構成している。
メスコネクタ２とオスコネクタ３の詳細な形状及び寸法は、ＩＳＯ５９４−１、−２の国際規格を参照にして形成する。
【００１３】
次に、前述のメスコネクタ２とオスコネクタ３を完全に接続した状態について、図２及び図３を用いて説明する。
メスコネクタ２の螺合部６とオスコネクタ３の螺合部１２が噛み合った時点でメスコネクタ２を反時計回り、もしくはオスコネクタ３を反時計回りに回すことにより、メスコネクタ２のリブ９がオスコネクタ３の螺合突部１２Ａに接触しながら螺合されていく。
オスコネクタ３の前方部（メスコネクタ接続側端部）が、メスコネクタ２の翼７に接触することで係止し、図２、３のようにメスコネクタ２とオスコネクタ３を完全に接続した状態になる。このように、翼７はコネクタ同士の係止において有用である。
リブ９は、メスコネクタ２とオスコネクタ１２の各螺合部６、１２を螺合したとき、リブ９とオスコネクタ１２の螺合部１２の接触面積を大きくとることができる（規格のネジにできていた隙間を埋めることができる）ので、回転軸方向の力がかかっても両コネクタ間に緩みにくくなり、結合強度が強くなる。これにより、メスコネクタ２とオスコネクタ１２の各螺合部６、１２の緩み防止効果を向上させることができる。リブ９は筒状部材４と同材料で一体成形されているため、破断屑等の発生がない。
【００１４】
［医療用コネクタ３１］
図５及び図６は本考案の医療用コネクタのその他の実施例であり、図５は本考案のコネクタ３１のメスコネクタ２とオスコネクタ３３と固定具４０の断面図、図６は本考案のコネクタ３１のメスコネクタ２とオスコネクタ３３と固定具４０を完全に接続した状態の断面図である。
コネクタ３１は、図５に示すように、メスコネクタ２と、オスコネクタ３３と、固定具４０を具備する。メスコネクタ２の内周壁にオスコネクタ３３のテーパ状突起部３４を挿入して接合し、固定具４０の螺合部４２とメスコネクタ２の螺合部６を螺合した際に、前記リブ９が、固定具４０の螺合部４２の螺合突部４２Ａに接触し、メスコネクタ２と固定具４０の螺合が緩まないように形成されている。
［オスコネクタ３３と固定具４０］
オスコネクタ３３は、前方部にテーパ状突起部３４、中間部に係止部３５が形成され、後方部にチューブ接続部が形成されている。
固定具４０は、筒状部材４４の内周壁に螺合部４２が形成され、オスコネクタ３３ないしチューブ外周に、スライドできるように装着されている。
メスコネクタ２の内周壁にオスコネクタ３３のテーパ状突起部３４を挿入して接合し、オスコネクタ３３の後方部から固定具４０を回転させ、螺合部４２とメスコネクタ２の螺合部６とが螺合することで図６のような完全に接続した状態になる。リブ９は、メスコネクタ２と固定具４０の各螺合部６、４２を螺合したとき、リブ９と固定具４０の螺合部６、４２の接触面積を大きくとることができる（規格のネジにできていた隙間を埋めることができる）ので、前記コネクタ１と同様の作用効果を奏する。
【図面の簡単な説明】
【００１５】
【図１】本考案を実施するための最良の形態を示す医療用コネクタの断面図
【図２】本考案の図１のメスコネクタとオスコネクタを完全に接続した状態の断面図
【図３】図２の一部拡大断面図
【図４】本考案の図１の翼７とリブ９の拡大図
【図５】本考案の医療用コネクタのその他の実施例を示すメスコネクタとオスコネクタ３３と固定具４０の断面図
【図６】本考案の図１のメスコネクタとオスコネクタ３３と固定具４０を完全に接続した状態の断面図
【図７】従来の医療用コネクタのメスコネクタとオスコネクタを接続した状態の断面図
【図８】図７の一部拡大断面図
【符号の説明】
【００１６】
１、３１、５１  コネクタ
２、５２  メスコネクタ
３、３３、５３  オスコネクタ
４、４４、５４  筒状部材
５、５５  ルアーテーパ
６、５６  螺合部
７、５７  翼
８、５８  チューブ掛止部
９  リブ
９Ａ  リブ幅
９Ｂ  リブ高さ
１０、６０  内筒部
１１、６１  外筒部
１２、４２、６２  螺合部
１２Ａ、４２Ａ、６２Ａ  螺合突部
３４  テーパ状突起部
３５  係止部
４０  固定具
Ｔ  チューブ
【図１】
0003116021.tif 000003
【図２】
0003116021.tif 000004
【図３】
0003116021.tif 000005
【図４】
0003116021.tif 000006
【図５】
0003116021.tif 000007
【図６】
0003116021.tif 000008
【図７】
0003116021.tif 000009
【図８】
0003116021.tif 000010